(57)【要約】【課題】使用性および携帯性が向上になり、収納された箸が外部と容易に接触できなく、且つ洗浄が便利になる箸用多用途携帯構造を提供する。【解決手段】開口を有し、開口の端部段は他段の形状と同様であるが、他段の外面から所定距離に凹んだ外面を持つケースと、ケースの内部を挿入して位置決められ、少なくとも一つの規制用貫通孔が設けてあり、一端部の外面に位置決め凸縁が成形され、他端部の端面が円弧形状に成形され、位置決め凸縁がケースの開口端に脱着可能に係止される固定台と、ケースに嵌め設けられ、ケースの開口を閉鎖する蓋と、を含む。【選択図】図２
0003129900.tif 000002
【実用新案登録請求の範囲】
【請求項１】
開口を有し、前記開口の端部段は、他段の形状と同様であるが、他段の外面から所定距離に凹んだ外面を持つケースと、
前記ケースの内部を挿入して位置決められ、少なくとも一つの規制用貫通孔が設けてあり、一端部の外面に位置決め凸縁が成形され、他端部の端面が円弧形状に成形され、前記位置決め凸縁が前記ケースの開口端に脱着可能に係止される固定台と、
前記ケースに嵌め設けられ、前記ケースの開口を閉鎖する蓋と、を含み、
箸を収納して携帯性を向上することを特徴とする、
箸用多用途携帯構造。
【請求項２】
前記固定台の外面に固定リブが対称に成形され、前記固定台が前記固定リブで前記ケースの内部に脱着可能に係止されることを特徴とする、請求項１に記載の箸用多用途携帯構造。
【考案の詳細な説明】
【技術分野】
【０００１】
本考案は、品物を収納する構造に係り、特に、箸を収納する箸用多用途携帯構造に関するものである。
【背景技術】
【０００２】
目下、国民が個人清潔および健康を重視するので、重複に使用可能な食器の使用がどんどん普及しており、ソレッキリ式食器が地球環境に悪影響を与えるので、重複に使用可能な箸の使用が徐々に一般の習慣になっている。
【０００３】
図１に示すのは従来の箸用携帯構造である。従来の箸用携帯構造は、収納袋Ａと、括り縄Ｂとを含み、収納袋Ａの開口付近には縄を通過するための縄穴（図示せず）が多数に開設してあり、前記縄穴に前記括り縄Ｂを通すと、箸を収納袋Ａに入れて括り縄Ｂを収束することにより、箸を収納して携帯することが便利になる。
【考案の開示】
【考案が解決しようとする課題】
【０００４】
しかしながら、これは次のような欠点があった。
（イ）括り縄Ｂが弛緩になったと、箸は収納袋Ａの開口から脱出することが容易になり、ひいては箸が脱出して汚染されたと、ユーザの健康に悪影響を与える虞がある。
【０００５】
（ロ）洗浄されない箸を収納袋Ａに直接に入れると、箸が収納袋Ａの内部を汚染し、且つ収納袋Ａは洗浄し難いので、使用は極めて不便である。
【０００６】
本考案の主な目的は、使用性および携帯性が向上する箸用多用途携帯構造を提供することにある。
【０００７】
本考案の次の目的は、収納された箸が外部と容易に接触できない箸用多用途携帯構造を提供することにある。
【０００８】
本考案の別の目的は、洗浄が便利になる箸用多用途携帯構造を提供することにある。
【課題を解決するための手段】
【０００９】
上記目的を達成するためになされた本願の考案は、開口を有し、前記開口の端部段は、他段の形状と同様であるが、他段の外面から所定距離に凹んだ外面を持つケースと、前記ケースの内部を挿入して位置決められ、少なくとも一つの規制用貫通孔が設けてあり、一端部の外面に位置決め凸縁が成形され、他端部の端面が円弧形状に成形され、前記位置決め凸縁が前記ケースの開口端に脱着可能に係止される固定台と、前記ケースに嵌め設けられ、前記ケースの開口を閉鎖する蓋と、を含み、箸を収納して携帯性を向上することを特徴とする箸用多用途携帯構造であることを要旨としている。
【００１０】
本願の考案では、前記固定台の外面に固定リブが対称に成形され、前記固定台が前記固定リブで前記ケースの内部に脱着可能に係止されることを特徴とする請求項１に記載の箸用多用途携帯構造であることを要旨としている。
【考案の効果】
【００１１】
本考案の箸用多用途携帯構造によれば、使用性および携帯性が向上になり、収納された箸が外部と容易に接触できなく、且つ洗浄が便利になる効果を有する。
【考案を実施するための最良の形態】
【００１２】
以下、添付図面を参照して本考案の好適な実施の形態を詳細に説明する。
【００１３】
まず、図２を参照する。図２は本考案の箸用多用途携帯構造の分解斜視図である。本考案の箸用多用途携帯構造は、ケース１と、固定台２と、蓋３とを含む。
【００１４】
前記ケース１は、一端に開口１０を有し、前記開口１０の端部段は、他段の形状と同様であるが、他段の外面から所定距離に凹んだ外面を持つ嵌合段１１を有し、前記嵌合段１１の外面に固定リブ１２が対称に成形され、その内壁には、前記嵌合段１１の末端に応じて係り溝１３が径方向に凹設してある。
【００１５】
前記固定台２は、前記ケース１の内部を挿入して前記ケース１の開口１０に位置決められ、それぞれ対応する規制用貫通孔２１が複数対に開設してあり、一端部の外面に位置決め凸縁２２が径方向に成形され、他端部の端面に円弧面２３が成形され、外面に固定リブ２４が対向に成形され、前記位置決め凸縁２２が前記ケース１の開口１０に脱着可能に係止され、固定リブ２４とケース１にある係り溝１３との係合により、前記固定台２がケース１に挿入して位置決められ、また、規制用貫通孔２１は、箸をレストするためのものであり、その形状は箸の形状に応じて変化してもいい。
【００１６】
前記蓋３は、前記ケース１にある嵌合段１１に嵌合する開口３０を有し、前記ケース１にある固定リブ１１により嵌合の緊密度が向上し、そうすると、前記蓋３が前記ケース１から容易に離脱しなくなる。
【００１７】
また、本考案の箸用多用途携帯構造によれば、ケース１と蓋３とにより箸収容空間が形成され、固定台２に開設された規制用貫通孔２１に箸が挿通され、これにより、箸が前記収容空間に位置決められ、携帯性が向上すると共に、箸が前記収容空間内にガタガタしなくなり、箸と本考案との接触面積が極めて小さくなり、箸が容易に汚染されなくなり、且つ固定台２は、位置決め凸縁２２でケース１の開口１０に脱着可能に係止され、且つ固定リブ２２でケース１の係り溝１３に脱着可能に係止されるので、固定台２の脱着が便利になり、本考案の洗浄が便利になり、また、固定台２が卓面に置かれたときに、図３に示すように、固定台２は箸レストとして使用することができ、すなわち、固定台２の円弧面２３に箸をレストすることができる。
【図面の簡単な説明】
【００１８】
【図１】従来の箸の携帯構造を示す概略図である。
【図２】本考案の箸用多用途携帯構造の分解斜視図である。
【図３】本考案の箸用多用途携帯構造の固定台を卓面に置いて箸レストとする状態を示す概略図である。
【符号の説明】
【００１９】
Ａ        収容袋
Ｂ        括り縄
１        ケース
１０      開口
１１      嵌合段
１２      固定リブ
１３      係り溝
２        固定台
２１      規制用貫通孔
２２      位置決め凸縁
２３      円弧面
２４      固定リブ
３        蓋
３０      開口
【図１】
0003129900.tif 000003
【図２】
0003129900.tif 000004
【図３】
0003129900.tif 000005